(57)【要約】【課題】３ビームをディスクに照射する光ピックアップ装置の組立方法を提供する。【解決手段】光ピックアップ装置の調整に用いる回路ブロック１７４は、メインビームを用いてトラッキングエラー信号を生成する部分１７５と、サブビーム及びメインビームの位置を確認する加算器１００、１０１、１０２で構成されている。前記メインビームが照射されるグルーブに隣接したランド上に前記サブビームを配置させる第１の工程と、前記第１の工程により配置されたサブビームを当該ランド上の更に適した位置に配置する第２の工程とからなり、前記第１、第２の工程では、前記メインビームによりトラッキング制御を行ないながら、前記サブビ−ムの位置調整を行う。【選択図】        図１
2004171697.tif 000002
【特許請求の範囲】
【請求項１】
メインビームとその前後を照射する先行及び後行のサブビームの３ビームをディスクに照射し、前記３ビ−ムのうち少なくともサブビームのディスクからの反射光を検出して前記メインビームの信号トラックとのトラッキング誤差を検出する構成の光ピックアップ装置の調整方法において、該調整は、前記メインビームが照射されるグルーブあるいはランドに隣接したランド上あるいはグルーブ上に前記サブビームの照射位置を定める第１の工程と、前記第１の工程により定められたサブビームの照射位置を当該ランド上あるいはグルーブ上の更に適した照射位置に定める第２の工程とからなり、前記第１、第２の工程は、前記サブビ−ムを用いずに前記メインビームのみによりトラッキング制御を行いながら調整することを特徴とする光ピックアップ装置の調整方法。
【請求項２】
前記第１、第２の工程は、光源からの出射光を回折格子に通過させることにより０次光と±１次光とに分離して、０次光をメインビームに、±１次光を、その前後を照射する先行及び後行のサブビームとして用いるとともに、前記回折格子を回転することにより前記サブビ−ムの照射位置を調整することを特徴とする請求項１に記載の光ピックアップ装置の調整方法。
【請求項３】
前記第１の工程は、メインビームの同期点に対して、先行若しくは後行のサブビームがビーム間隔差寸法に対応した時間であることを検出して前記メインビームが照射されるグルーブあるいはランドに隣接したランド上あるいはグルーブ上に前記サブビームの照射位置を定めることを特徴とする請求項１又は２に記載の光ピックアップ装置の調整方法。
【請求項４】
前記第２の工程は、前記サブビームの信号振幅が所定の値になることを検出して前記メインビームが照射されるグルーブあるいはランドに隣接したランド上あるいはグルーブ上に前記サブビームの照射位置を定めることを特徴とする請求項１又は２に記載の光ピックアップ装置の調整方法。
【請求項５】
前記第２の工程は、前記サブビームの信号振幅が最小値になることを検出して前記メインビームが照射されるグルーブあるいはランドに隣接したランド上あるいはグルーブ上に前記サブビームの照射位置を定めることを特徴とする請求項１、２、４の何れかに記載の光ピックアップ装置の調整方法。
【発明の詳細な説明】
【０００１】
【発明の属する技術分野】
本発明は、光ピックアップ装置の調整方法に関し、特に３ビームを用いた方法でトラッキングサーボを行なう光ピックアップ装置の調整方法に関するものである。より詳しくは、３ビ−ムを生成する回折格子等を回転することにより、サブビ−ムの位置を調整する方法に関するものである。
【０００２】
【従来の技術】
近年の大記録容量化の市場要求に伴い、ＣＤ（コンパクトディスク）、ＤＶＤ（ディジタルビデオディスク）の普及が目覚ましい。情報の読み出しには、ディスク上に刻まれたトラックに追従するトラッキングサーボと、ディスクの上下動などに基づくフォーカスのずれに追従するフォーカスサーボが必要である。従来からトラッキングサーボとしては、１ビームを用いる方法に、ＰＰ（ｐｕｓｈ−ｐｕｌｌ）法、ＤＰＤ（ｄｉｆｆｅｒｅｎｔｉａｌ  ｐｈａｓｅ  ｄｅｔｅｃｔｉｏｎ）法が知られており、３ビームを用いる方法に、単純３ビーム（３−ｓｐｏｔ）法、ＤＰＰ（ｄｉｆｆｅｒｅｎｔｉａｌ  ｐｕｓｈ−ｐｕｌｌ）法が知られている（例えば非特許文献１参照。）。前記３ビームを用いる、単純３ビーム法とＤＰＰ法では、半導体レーザからのメインビームの他に、２つのサブビームを用いてトラッキングサーボをかけることから、サブビーム発生用の回折格子を要していた。該回折格子の角度を調整することにより前記２つのサブビームを所定のトラックあるいはランド上に照射している。以下、発明の理解を容易ならしめるために、まず、従来からよく使用されている単純３ビーム法とＤＰＰ法を用いた光ピックアップ装置について説明し、その後、前記１ビームを用いるＤＰＤ法によるトラッキングエラー信号生成回路とＤＰＤ法によるトラッキング制御を説明する。更に３ビームを用いるＤＰＰ法によるトラッキングエラー信号生成回路を説明する。そして、単純３ビーム法によりトラッキングエラー信号を得る場合について説明した後に、単純３ビーム法とＤＰＰ法で回折格子の角度調整を行なう従来の工程を説明する。
【０００３】
単純３ビーム法とＤＰＰ法を用いた例えば図２の如き光ピックアップ装置は、以下のような構成である。即ち、半導体レーザ１、光検出器２、回折格子２０、ビームスプリッタ３、コリメートレンズ４、反射鏡５、アクチュエータ９からなる。該光検出器２は、周知の４分割光検出器と信号処理回路を有する。アクチュエータ９には、対物レンズ８、制御回路２１が搭載されていて、図示していない駆動手段により対物レンズ８の上にある図示していない記録媒体面に対して移動される。前記図示していない記録媒体面上には、前記対物レンズ８からの光が集光される。
【０００４】
前記構成の光ピックアップ装置の動作は以下の如くである。即ち、記録媒体に対応した波長の半導体レーザ１から出射された光は、回折格子２０により、０次光と±１次光に分離される。該分離された０次光と±１次光は、ビームスプリッタ３、コリメートレンズ４、反射鏡５を介して対物レンズ８により図示していない記録媒体上に集光される。前記０次光と±１次光は、図示していない記録媒体上で反射して、前記と逆の経路を介してビームスプリッタ３に入射される。該ビームスプリッタ３を透過した前記反射光は、光検出器２に入射され、該光検出器２によって０次光からは記録された情報及びフォーカシング制御の信号が、±１次光からはトラッキング制御の信号が分離される。そして、図示していない周知の制御回路と信号処理回路により、記録媒体の制御と信号の読み出しが行われる。
【０００５】
【非特許文献１】
「光学工房  光ディスクのしくみ」、光学、２００２年、第３１巻、第８号、Ｐ．６４９−６５１
【特許文献１】
特公平７−７００７４号公報
【０００６】
図３により従来の１ビームを用いるＤＰＤ法によってトラッキングエラー信号生成回路を説明する。ＤＰＤ法では、光ディスクの記録面上に照射されるレーザビームは１本のメインビームからなり、光ディスクからの反射光はメインビームからの反射光の強度を検出するメインビーム検出部７２によって検出される。さらに、メインビーム検出部７２は図のＡ〜Ｄのように４分割され、ビーム位置に応じた光の強度が検出される。メインビーム検出部７２で検出される光の強度を示す信号Ａ〜Ｄに基づいて、信号生成部７４で信号（Ａ＋Ｃ）と信号（Ｂ＋Ｄ）との時間差が演算され、トラッキングエラー信号ＴＥが生成される。より詳細には、信号生成部７４では、加算増幅器７４１により信号（Ｂ＋Ｄ）が生成され、コンパレータ７４２によって信号（Ｂ＋Ｄ）は２値化される。加算増幅器７４３、コンパレータ７４４でも同様にして２値化された信号（Ａ＋Ｃ）が生成される。時間差検出器７４５では、信号（Ａ＋Ｃ）と信号（Ｂ＋Ｄ）との時間差が検出され、ローパスフィルタ（ＬＰＦ）７４６を介して、トラッキングエラー信号ＴＥが生成される。
【０００７】
図４、図３により前記ＤＰＤ法によるトラッキング制御を説明する。光ディスクの記録面上に照射されるレーザビームは１本のメインビームＭＢのみであり、光ディスクからの反射光はメインビームＭＢの反射光の強度を検出するメインビーム検出部７２によって検出され、トラッキング制御にはサブビーム検出部７１、７３は用いられない。このメインビーム検出部７２は、さらに、図のＡ〜Ｄのように４分割され、ビーム位置に応じた光の強度が検出される。メインビームＭＢがトラックの中心を通過する図４（ｂ）の場合、加算増幅器７４１、加算増幅器７４３の出力は対称に得られる。一方、メインビームＭＢがトラックの右を通過する図４（ａ）の場合、ビームの反射光は時計方向に回転するように変化する。更にまた、メインビームＭＢがトラックの左を通過する図４（ｃ）の場合、ビームの反射光は反時計方向に回転するように変化する。前記反射光の変化の様子をＡ、Ｂ、Ｃ、Ｄに４分割されたメインビーム検出部７２で検出し、それぞれ対角位置にある検出器Ａ、Ｃ及びＢ、Ｄそれぞれの出力の和から得られる２つの信号の位相を比較し、その進み、遅れからトラッキングエラー信号ＴＥが生成される。
【０００８】
図５により従来の３ビームを用いるＤＰＰ法によるトラッキングエラー信号生成回路を説明する。ＤＰＰ法では、光ディスクの記録面上に照射されるレーザビームは１本のメインビームと２本のサブビームとからなり、光ディスクからの反射光はメインビームからの反射光の強度を検出するメインビーム検出部６２、サブビームからの反射光の強度を検出するサブビーム検出部６１、６３によってそれぞれ検出される。さらに、メインビーム検出部６２は図のＡ〜Ｄのように４分割され、サブビーム検出部６１、６３は図のＥ、Ｆ、Ｇ、Ｈのように２分割され、ビーム位置に応じた光の強度が検出される。これらのようにして検出部６１〜６３で検出される光の強度を示す信号Ａ〜Ｈに基づいて、信号生成部６４で（Ａ＋Ｄ）−（Ｂ＋Ｃ）−ｋ｛（Ｅ−Ｆ）＋（Ｇ−Ｈ）｝（ｋは定数）が演算され、トラッキングエラー信号ＴＥがＯＵＴ端子に生成される。なお、符号６４１、６４２、６４６、６４７は減算増幅器、符号６４３、６４４、６４５は加算増幅器である。
又、単純３ビーム法によるトラッキングエラー信号生成回路では、図５のメインビーム検出部６２はトラッキング信号としては使用されない。更に該単純３ビーム法では図５に示したメインビーム検出部６２は図のＡ〜Ｄのように４分割されているが、サブビーム検出部６１、６３は、それぞれ１個で形成されている。
【０００９】
図６により単純３ビーム法により光ディスクの記録面をレーザビームで照射してトラッキングエラー信号を得る場合について説明する。光ディスクの記録面上でランド（凸部）とグルーブ（凹部）とが渦巻き状に形成されてトラックが形成されている。単純３ビーム法では、周知のようにレーザ光が回折格子によって３ビームに分割され、中央のメインビームＭＢを除くサブビームＳＥ、ＳＦを利用してディスクトラックに対するトラッキングが行われる。図６には、この様子が示されている。同図において、中央に示すものがメインビームＭＢであり、その上下に示すものがサブビームＳＥ、ＳＦである。これらの各ビームは、ＳＥ、ＭＢ、ＳＦの順にディスクトラック上を通過する。トラッキングが正常に行われているときは、ランド及びグルーブに対して同図（ｂ）に示すビーム位置状態となっている。これに対し、ビーム位置がランド及びグルーブに対して左側にずれたときは同図（ａ）に示す状態となり、ビーム位置がランド及びグルーブに対して右側にずれたときは同図（ｃ）に示す状態になる。
【００１０】
このようなスポットとしてディスクに入射し、反射される各ビームは、サブビームＳＥ、ＳＦの反射光の差をサブビーム検出部６１、６３により検出され各々電気信号に変換される。正常にトラッキングが行われている状態（図６（ｂ）参照）におけるメインビーム検出部６２とサブビーム検出部６１、６３の出力信号は、たとえば図７（Ａ）乃至（Ｃ）に示すようになる。メインビームＭＢの同期点ＰＭに対して、サブビームＳＥはビーム間隔相当時間ＴＤ進んだ位置に同期ポイントＰＥがあり、サブビームＳＦはビーム間隔相当時間ＴＤ遅れた位置に同期ポイントＰＦがある。トラッキングエラー信号ＴＥは、たとえばサブビーム検出部６３の出力からサブビーム検出部６１の出力を減算することによって得られる（例えば特許文献１参照。）。
【００１１】
ところで、上述した３ビームを用いる単純３ビーム法とＤＰＰ法の３つのビームは、１つのビームを図２に示した回折格子２０を用いて３つのビームに分割して得ている場合が多い。このとき、回折格子２０の入射ビームに対する角度を変化させると各ビームのスポット位置が変化するので、光ピックアップ装置の組立に際しては前述したような最適な状態になるように回折格子２０の位置（角度）調整が行われる。以下、従来から行なわれている３ビームを用いる単純３ビーム法とＤＰＰ法における回折格子２０の角度調整について説明する。
【００１２】
従来、３ビームを用いる単純３ビーム法とＤＰＰ法では、回折格子２０の角度調整を行なうに際して以下のような調整を行う。
（工程１）
図７に示されているビーム間隔相当時間ＴＤが所定の時間（メインビームが位置するトラックと同一トラックにサブビ−ムが位置した場合に相当する時間）となるように、回折格子２０を回転する。この際、トラッキング制御を行ないながら回折格子２０の角度調整を行う必要がある。該トラッキング制御を行ないながら調整する理由は以下のようである。即ち、図７に示したように、メインビームＭＢの同期点ＰＭに対して、サブビームＳＥはビーム間隔相当時間ＴＤ進んだ位置に同期ポイントＰＥがあり、サブビームＳＦはビーム間隔相当時間ＴＤ遅れた位置に同期ポイントＰＦがある。かかる点を確認するために、トラッキング制御を外すと、ディスクはフリーランとなり、前記同期点を止めて確認することが難しいためである。そのためにサブビームを用いてトラッキング制御を行ないながらメインビームＭＢが照射されるトラックあるいはそのトラックに隣接した部分上にサブビームＳＥ、ＳＦの照射位置を定める。
【００１３】
（工程２）
次にサブビームの出力を調整することにより、メインビ−ムが位置するトラックと該トラックと隣あわせのトラックとの間の所定の位置にサブビ−ムを位置合わせする。かかる場合にも前記サブビームを用いたトラッキング制御を行う必要がある。この工程の詳細は後述するが、工程１に比べて更にサブビ−ムの位置を正確に調整する工程である。即ち、前記サブビームを前記トラック間の略中央に照射する工程である。
【００１４】
【発明が解決しようとする課題】
しかし、係る角度調整方法では、以下のような問題点があった。即ち、従来の３ビームを用いる単純３ビーム法とＤＰＰ法では、回折格子２０の角度調整を行なうに際して、単純３ビーム法とＤＰＰ法にそれぞれ対応したトラッキング制御回路によりサブビームを用いてトラッキング制御を行ないながら調整を行っていた。回折格子２０が静止した状態では、トラッキング制御が安定して行われることから鮮明な信号が得られるものの、回折格子２０を回転している間はトラッキング制御が不安定となり、その結果、鮮明な信号が得られず、光ピックアップ装置の組立作業の効率を著しく阻害していた。
【００１５】
本発明は、かかる問題を解決して３ビームをディスクに照射する光ピックアップ装置の組立作業の効率を向上すると共に、信頼性の高い光ピックアップ装置が得られる光ピックアップ装置の組立方法を提供することを目的としてなされたものである。更に詳しくは、３ビームを用いるトラッキング制御方式を採用する光ピックアップ装置において、１ビームを用いるＤＰＤ法もしくはＰＰ法によりトラッキング制御を行ない、回折格子の角度調整を行なうものである。
【００１６】
【課題を解決するための手段】
本発明は上記目的を達成するために請求項１記載の光ピックアップ装置の調整方法は、メインビームとその前後を照射する先行及び後行のサブビームの３ビームをディスクに照射し、前記３ビ−ムのうち少なくともサブビームのディスクからの反射光を検出して前記メインビームの信号トラックとのトラッキング誤差を検出する構成の光ピックアップ装置の調整方法において、該調整は、前記メインビームが照射されるグルーブあるいはランドに隣接したランド上あるいはグルーブ上に前記サブビームの照射位置を定める第１の工程と、前記第１の工程により定められたサブビームの照射位置を当該ランド上あるいはグルーブ上の更に適した照射位置に定める第２の工程とからなり、前記第１、第２の工程は、前記サブビ−ムを用いずに前記メインビームによりトラッキング制御を行ないながら調整することを特徴とする。
【００１７】
請求項２記載の光ピックアップ装置の調整方法は、請求項１記載の光ピックアップ装置の調整方法において、前記第１、第２の工程は、光源からの出射光を回折格子に通過させることにより、１ビームを０次光と±１次光とに分離して、０次光をメインビームに、±１次光を、その前後を照射する先行及び後行のサブビームとして用いることを特徴とする。
【００１８】
請求項３記載の光ピックアップ装置の調整方法は、請求項１又は２に記載の光ピックアップ装置の調整方法において、前記第１の工程は、メインビームの同期点に対して、先行若しくは後行のサブビームがビーム間隔差寸法に対応した時間であることを検出して前記メインビームが照射されるグルーブあるいはランドに隣接したランド上あるいはグルーブ上に前記サブビームの照射位置を定めることを特徴とする。
【００１９】
請求項４記載の光ピックアップ装置の調整方法は、請求項１又は２に記載の光ピックアップ装置の調整方法において、前記第２の工程は、前記サブビームの信号振幅が所定の値になることを検出して前記メインビームが照射されるグルーブあるいはランドに隣接したランド上あるいはグルーブ上に前記サブビームの照射位置を定めることを特徴とする。
【００２０】
請求項５記載の光ピックアップ装置の調整方法は、請求項１、２、４の何れかに記載の光ピックアップ装置の調整方法において、前記第２の工程は、前記サブビームの信号振幅が最小値になることを検出して前記メインビームが照射されるグルーブあるいはランドに隣接したランド上あるいはグルーブ上に前記サブビームの照射位置を定めることを特徴とする。
【００２１】
【発明の実施の形態】
図１により本発明における３ビームを用いた光ピックアップ装置の調整方法について説明する。なお、以下の説明では、メインビームとその前後を照射する先行及び後行のサブビームとの３ビームを得るために回折格子を用い、メインビームをグルーブ上に照射し、該グルーブに隣接したランド上にサブビームの照射位置を定める場合の回折格子の角度調整方法について説明するが、３ビームを得る手段はホログラム光学素子であってもよく、又、メインビームをグルーブ上に照射する以外にメインビームをランド上に照射し、該ランドに隣接したグルーブ上にサブビームを照射するものであってもよい。
【００２２】
更に、光ピックアップ装置の調整に使用するディスクは、使用する光ピックアップ装置のレーザ波長に適したピットが予め所定の形式で格納されているテスト用のディスクを用いて行なうものとする。また、１ビームを用いて行なうトラッキングサーボ方式はＤＰＤ法として説明するが、これ以外にＰＰ法であってもよい。更にまた、３ビームを用いて行なうトラッキングサーボ方式は単純３ビーム法以外にＤＰＰ法であってもよい。そして、前記１ビームを用いて行なう光ピックアップ装置の調整のトラッキングサーボ方式と、光ピックアップ装置で使用する３ビームを用いて行なうトラッキングサーボ方式の組み合わせは任意である。
【００２３】
まず、図１の構成について説明する。図３、図５と同一部分については同一符号を付してその説明を省略する。光ピックアップ装置の調整に用いる回路ブロック１７４は、後述する第１、第２の工程で使用するトラッキングエラー信号を生成する部分１７５と、サブビームの位置を確認する減算増幅器１００、１０１及びメインビームの位置を確認する加算増幅器１０２で構成されている。トラッキングエラー信号を生成する部分１７５は、ディスクのトラッキングサーボ制御を行なう。該トラッキングサーボ制御は、従来のＤＰＤ法によってメインビームにより行ない、メインビーム検出部７２で検出される光の強度を示す信号Ａ〜Ｄに基づいて、信号（Ａ＋Ｃ）と信号（Ｂ＋Ｄ）との時間差が演算され、ローパスフィルタ（ＬＰＦ）７４６を介して、トラッキングエラー信号ＴＥが生成される。減算増幅器１００、１０１の出力端子にはサブビーム検出部７１、７３で検出された信号ＳＳ１、ＳＳ２が、それぞれ出力される。
【００２４】
次に、前記図１の回路を用いて行なう、光ピックアップ装置の調整方法について以下に説明する。なお、光ピックアップ装置としては、例えば図２のような回折格子２０を使用した装置であって、レーザ光源から出射された１ビームを回折格子２０により０次光と±１次光とに分離して、０次光をメインビームに、±１次光をその前後を照射する先行及び後行のサブビームとして用いる。前記回折格子２０の角度調整を行なうに際して以下のような３つの工程での調整を行う。又、光ピックアップ装置の調整に使用するディスクは、図示していないドライブにより所定の速度で回転されており、前記ドライブは、図１に示した回路により得たトラッキングエラー信号ＴＥを使用する。
【００２５】
（工程１）
本工程は、前述した方法により、メインビームの前後を照射する先行及び後行のサブビームを、トラック間のまたがりが無いように位置調整する工程である。すなわち、メインビ−ムが照射するグル−ブに隣接するランド上に、サブビ−ムを位置させる工程である。その際、サブビ−ムの少なくとも一部が前記グル−ブを照射し、グル−ブに記録された信号を検出できればよい。前記図１に示したトラッキングエラー信号ＴＥを使用してメインビームにより、トラッキング制御を行なう。メインビームとその前後を照射する先行及び後行のサブビームとの３ビームをディスクに照射する。ディスクが所定の速度でトラッキング制御されていることをローパスフィルタ（ＬＰＦ）７４６に得られるトラッキングエラー信号ＴＥにより確認する。減算増幅器１００、１０１、加算増幅器１０２の出力端子にはサブビーム検出部７１、７３で検出された信号ＳＳ１、ＳＳ２及びメインビーム検出部７２で検出された信号ＳＳ３がそれぞれ得られているので、該信号ＳＳ３と信号ＳＳ１、ＳＳ２の何れか一方または両方を例えばオシロスコープなどで観測する。メインビーム（信号ＳＳ３）の同期点に対して、先行若しくは後行のサブビーム（信号ＳＳ１、ＳＳ２の何れか一方または両方）の同期点が、予め定められたビーム間隔差寸法に対応した時間分だけずれた時間軸上の位置に出現するように回折格子を回転することにより、前記メインビームが照射されるグルーブ隣接したランド上に前記サブビームの照射位置を定める。
【００２６】
メインビームのみによりトラッキング制御を行なうことにより、回折格子２０を回転することによりサブビ−ムの位置が移動している間もトラッキング制御は正しく行なわれている。そのために、ディスクのトラッキングが外れ、オシロスコープの同期がとれず、ビーム間隔差寸法に対応した時間であることが確認できなくなる事態は生ぜず、調整作業に支障をきたさない。
【００２７】
（工程２）
前記第１の工程の後に、前記第１の工程により照射されたサブビームを当該ランド上の更に適した位置に照射する工程である。即ち、前記サブビームを当該ランド上の略中央に照射する工程である。前記図１に示したトラッキングエラー信号ＴＥを使用してメインビームにより、トラッキング制御を行なう。メインビームとその前後を照射する先行及び後行のサブビームとの３ビームをディスクに照射する。ディスクが所定の速度でトラッキング制御されていることをローパスフィルタ（ＬＰＦ）７４６に得られるトラッキングエラー信号ＴＥにより確認する。減算増幅器１００、１０１、加算増幅器１０２の出力端子にはサブビーム検出部７１、７３で検出された信号ＳＳ１、ＳＳ２及びメインビーム検出部７２で検出された信号ＳＳ３がそれぞれ得られているので、該信号ＳＳ３と信号ＳＳ１、ＳＳ２の何れか一方または両方を例えばオシロスコープなどで観測する。
【００２８】
前記信号ＳＳ１、ＳＳ２の何れか一方または両方の信号振幅が所定の値になることを検出して、前記メインビームが照射されるグルーブに隣接したランド上に前記サブビームの照射位置を定める。ここで前記所定の値は、サブビームが照射される位置により異なり、例えば、ランド上の中央に照射する場合には最小値である。あるいは、グルーブ上の一部にかかったように照射する場合には、予め定められた値になることを検出して前記メインビームが照射されるグルーブに隣接したランド上に前記サブビームの照射位置を定める。
【００２９】
メインビームによりトラッキング制御を行なうことにより、前記サブビームの信号振幅が最小値になるように回折格子２０の角度を調整し、サブビ−ムの位置が移動しても、その間メインビームは所定のグル−ブにあるのでトラッキング制御は正しく行なわれている。そのために、ディスクのトラッキングが外れ、オシロスコープの同期がとれず、前記サブビームの信号振幅を確認できなくなる事態は生ぜず、調整作業に支障をきたさない。
【００３０】
（工程３）
以下で説明する工程は、本発明とは直接関係する工程ではないが、前記第１、第２の工程を経た後に、先行及び後行のサブビームの両方を更に最適な所定位置に微調整する工程として行なってもよい。当該工程では前記メインビームによるトラッキング制御を行なわない。即ち前記図１に示したトラッキングエラー信号ＴＥを切り離して、メインビームとその前後を照射する先行及び後行のサブビームとの３ビームをディスクに照射する。メインビームによるトラッキング制御を行なわないことにより、ディスクがフリーラン状態で回転して回転がむらになり、先行及び後行のサブビームは、それぞれ同じ周期で振動しながらトラック近傍を照射する。
【００３１】
それぞれのサブビ−ムのトラックエラ−信号を例えばオシロスコープなどで観測し、該信号の位相差を確認する。該信号の位相差が所定の値になることを検出して前記メインビームが照射されるグルーブに隣接したランド上に前記サブビームの照射位置を定める。ここで、前記位相差が所定の値とは、使用されるディスクの規格によりサブビームの位相が逆位相になる場合と、同位相になる場合があり、それぞれに対応して先行及び後行のサブビームの位相が逆位相あるいは同位相で一致したことを検出して前記メインビームが照射されるグルーブに隣接したランド上に前記サブビームの照射位置を定める。
【００３２】
【発明の効果】
本光ピックアップ装置の調整方法によれば、３ビーム方式でトラッキングサーボを行なう光ピックアップ装置の組立時に、サブビ−ムを用いずにメインビームのみによりトラッキング制御を行なうことにより、１ビームを３ビームにする手段の回転角度の調整が容易にできる。
【００３３】
また、１ビームを３ビームにする手段として回折格子を用いることにより、メインビームとサブビームの照射位置を容易に調整できる。更に前記第１の工程は、メインビームの同期点に対して、先行及び後行のサブビームがビーム間隔差寸法に対応した時間を、前記第２の工程は、前記サブビームの信号振幅が所定の値になることを検出することにより、時間、信号振幅という異なる事象の確認により、１ビームを３ビームにする手段の回転角度の調整が容易にでき、正確なビームの照射ができる。
【図面の簡単な説明】
【図１】本発明における光ピックアップ装置の回折格子の角度調整に用いる回路ブロック図である。
【図２】従来の光ピックアップ装置における主要部のブロック図である。
【図３】従来のＤＰＤ法によってトラッキングエラー信号を生成する回路を説明するための図である。
【図４】従来のＤＰＤ法での光ディスクの記録面でのレーザビームの照射を説明するための図である。
【図５】従来のＤＰＰ法によってトラッキングエラー信号を生成する回路を説明するための図である。
【図６】従来の単純３ビーム法での光ディスクの記録面でのレーザビームの照射を説明するための図である。
【図７】従来の単純３ビーム法でのメインビーム検出部とサブビーム検出部の出力信号の一例である。
【符号の説明】
１  半導体レーザ
２  光検出器
３  ビームスプリッタ
４  コリメートレンズ
５  反射鏡
９  アクチュエータ
２０  回折格子
７１  ７３  サブビーム検出部
７２  メインビーム検出部
７４  信号生成部
１００，１０１  減算増幅器
１０２、７４１、７４３  加算増幅器
７４２、７４４  コンパレータ
７４５  時間差検出器
７４６  ローパスフィルタ
【図１】
2004171697.tif 000003
【図２】
2004171697.tif 000004
【図３】
2004171697.tif 000005
【図４】
2004171697.tif 000006
【図５】
2004171697.tif 000007
【図６】
2004171697.tif 000008
【図７】
2004171697.tif 000009